(57)【要約】【課題】単相３線交流電源の電力量計への電線の接続において、負荷にほとんど異常電圧が印加されないうちに直ちに確実に誤結線を検出することができるようにする。【解決手段】第２の負荷接続端子２Ｌに接続されるべき負荷側の中性線の対地電圧を測定しながら各端子１Ｓ，２Ｓ，３Ｓ、１Ｌ，２Ｌ，３Ｌに対する電線の接続を行い、負荷側の中性線に設定値以上の対地電圧があらわれたときに、誤結線であることを判別する。【選択図】　図１
2004108974.tif 000002
【特許請求の範囲】
【請求項１】
単相３線交流電源に接続される第１乃至第３の電源入力端子と、負荷に接続される第１乃至第３の負荷接続端子とを有し、第２の電源入力端子及び第２の負荷接続端子が、それぞれ中性線が接続される端子となされている電力量計の各端子に対する電線の接続をするにあたって、
上記第２の負荷接続端子に接続されるべき電線の対地電圧を測定しながら、各端子に対する電線の接続を行い、
上記第２の負荷接続端子に接続されるべき電線に設定値以上の対地電圧があらわれたときに、誤結線であることを判別することを特徴とする電力量計の誤結線チェック方法。
【請求項２】
前記第２の負荷接続端子に接続されるべき電線の対地電圧の測定は、該第２の負荷接続端子に接続されるべき電線を挟持してこの電線に取付けられる検出クリップと、この検出クリップの上記電線を挟持する部分に取付けられた電極と、この電極に誘起する誘導電圧を検出する検出回路と、この検出回路における検出結果に基づいて上記電極に誘起した誘導電圧が上記第２の負荷接続端子に接続されるべき電線に設定値以上の対地電圧が生じた場合に警告を発する表示回路とを備えた誤結線チェッカを用いて行うことを特徴とする請求項１記載の電力量計の誤結線チェック方法。
【請求項３】
単相３線交流電源に接続される第１乃至第３の電源入力端子と、負荷に接続される第１乃至第３の負荷接続端子と、を有し第２の電源入力端子及び第２の負荷接続端子が、それぞれ中性線が接続される端子となされている電力量計の各端子に対する電線の接続をするときに、上記第２の負荷接続端子に接続されるべき電線を挟持してこの電線に取付けられる検出クリップと、
上記検出クリップの上記電線を挟持する部分に取付けられた電極と、
上記電極に誘起する誘導電圧を検出する検出回路と、
上記検出回路における検出結果に応じて警告を発する表示回路とを備え、
上記表示回路は、上記電極に誘起した誘導電圧が上記第２の負荷接続端子に接続されるべき電線に設定値以上の対地電圧が生じた場合に、警告を発することを特徴とする電力量計の誤結線チェッカ。
【発明の詳細な説明】
【０００１】
【発明の属する技術分野】
本発明は、単相３線式の電力量計の取替え工事において、電力量計への電線接続の正誤をチェックするための電力量計の誤結線チェック方法及び電力量計の誤結線チェッカに関するものである。
【０００２】
【従来の技術】
従来、単相３線交流電源と負荷との間に、新たに電力量計を取付ける場合や電力量計を取替える場合において、この電力量計の各端子に対する電線の接続については、目視によって、各電線の被覆の色と電力量計の端子との対応を確認したり、各電線に１，２，３と番号を付け、電力量計の端子部分の番号と対応させて確認している。
【０００３】
例えば、第１の電源入力端子（１Ｓ）及び第１の負荷接続端子（１Ｌ）には赤色の電線、第２の電源入力端子（２Ｓ）及び第２の負荷接続端子（２Ｌ）には白色の電線、第３の電源入力端子（３Ｓ）及び第３の負荷接続端子（３Ｌ）には黒色（または、青色）の電線が接続されていることを確認している。また、１の番号がついた端子には、１の番号の付いた電線、２の番号が付いた端子には、２の番号の付いた電線、３の番号がついた端子には３の番号の付いた電線を確認している。
【０００４】
【発明が解決しようとする課題】
しかしながら、上述のような目視による確認では、見間違えによる誤結線が生ずるおそれがある。また、接続が終了した後で確認する場合があるため、誤結線が生じた場合には、接続の確認時において、すでに負荷に対して異常電圧が印加されてしまっているという問題がある。
【０００５】
したがって、電力量計への電線の接続において、誤結線が生じた場合には、直ちにこれを発見し、負荷に異常電圧が全く印加されないか、もしくは、継続して印加されることがないようにすることが必要である。
【０００６】
そこで、本発明は、上述の実情に鑑みて提案されるものであって、単相３線交流電源の電力量計への電線の接続において、誤結線を確実に検出することができ、また、負荷にほとんど異常電圧が印加されないうちに直ちに誤結線を検出することができる電力量計の誤結線チェック方法を提供し、また、このような誤結線チェック方法の実施に用いられる取扱いが簡単で操作性の良い電力量計の誤結線チェッカを提供することを目的とするものである。
【０００７】
【課題を解決するための手段】
本発明は、上記目的を達成するために提案されたものであって、第１の発明（請求項１記載の発明）は、本発明に係る電力量計の誤結線チェック方法に係るものであって、単相３線交流電源に接続される第１乃至第３の電源入力端子と負荷に接続される第１乃至第３の負荷接続端子とを有し第２の電源入力端子及び第２の負荷接続端子が、それぞれ中性線が接続される端子となされている電力量計の各端子に対する電線の接続をするにあたって、上記第２の負荷接続端子に接続されるべき電線の対地電圧を測定しながら各端子に対する電線の接続を行い、上記第２の負荷接続端子に接続されるべき電線に設定値以上の対地電圧があらわれたときに誤結線であることを判別することを特徴とするものである。
【０００８】
この第１の発明に係る電力量計の誤結線チェック方法では、第２の負荷接続端子に接続されるべき電線に設定値以上の対地電圧があらわれたときに誤結線であることを判別するので、負荷に対して異常電圧の印加が生ずることとなる誤結線の発生を確実に直ちに知ることができる。
【０００９】
また、第２の発明（請求項２記載の発明）は、この電力量計の誤結線チェック方法において、第２の負荷接続端子に接続されるべき電線の対地電圧の測定は、第２の負荷接続端子に接続されるべき電線を挟持してこの電線に取付けられる検出クリップと、この検出クリップの上記電線を挟持する部分に取付けられた電極と、この電極に誘起する誘導電圧を検出する検出回路と、この検出回路における検出結果に基づいて上記電極に誘起した誘導電圧が上記第２の負荷接続端子に接続されるべき電線に設定値以上の対地電圧が生じている場合に警告を発する表示回路とを備えた誤結線チェッカを用いて行うことを特徴とするものである。
【００１０】
上記第２の発明によれば、誤結線チェッカの表示回路による警告によって、負荷に対して異常電圧の印加が生ずることとなる誤結線の発生を確実に直ちに知ることができる。
【００１１】
また、第３の発明（請求項３記載の発明）は、電力量計の誤結線チェッカに係るものであって、単相３線交流電源に接続される第１乃至第３の電源入力端子と負荷に接続される第１乃至第３の負荷接続端子とを有し第２の電源入力端子及び第２の負荷接続端子がそれぞれ中性線が接続される端子となされている電力量計の各端子に対する電線の接続をするときに第２の負荷接続端子に接続されるべき電線を挟持してこの電線に取付けられる検出クリップと、この検出クリップの電線を挟持する部分に取付けられた電極と、この電極に誘起する誘導電圧を検出する検出回路と、この検出回路における検出結果に応じて警告を発する表示回路とを備え、表示回路は、電極に誘起した誘導電圧が第２の負荷接続端子に接続されるべき電線に設定値以上の対地電圧が生じている場合に警告を発することを特徴とするものである。
【００１２】
この第３の発明に係る電力量計の誤結線チェッカによれば、表示回路が、電極に誘起した誘導電圧が第２の負荷接続端子に接続されるべき電線に設定値以上の対地電圧が生じている場合に警告を発するので、負荷に対して異常電圧の印加が生ずることとなる誤結線の発生を確実に直ちに知ることができる。
【００１３】
【発明の実施の形態】
以下、本発明の一実施の形態に係る電力量計の誤結線チェック方法を、図面を参照しながら説明する。
【００１４】
この実施の形態に係る電力量計の誤結線チェック方法は、図１に示すように、単相３線交流電源に接続される第１乃至第３の電源入力端子と負荷に接続される第１乃至第３の負荷接続端子とを有し第２の電源入力端子及び第２の負荷接続端子が、それぞれ中性線が接続される端子となされている電力量計１の各端子に対する電線の接続をするにあたって、誤結線があったことを直ちに確実に知ることにより、負荷に異常電圧が全く印加されないか、もしくは、継続して印加されることがないようにしようとするものである。
【００１５】
ここで、図１に示すように、上記単相３線交流用の電力量計１における第１乃至第３の電源入力端子を１Ｓ，２Ｓ，３Ｓとし、第１乃至第３の負荷接続端子を１Ｌ，２Ｌ，３Ｌとすると、第１乃至第３の電源入力端子１Ｓ，２Ｓ，３Ｓに対する電源４からの接続の状態は、図１中の（Ａ）乃至（Ｆ）の６通りが考えられ、また、第１乃至第３の電源入力端子１Ｌ，２Ｌ，３Ｌに対する負荷５，６への接続の状態は、図１中の（１）乃至（６）の６通りが考えられる。　ここで、（Ａ）−（１）の組み合わせが正しい結線状態である。したがって、（Ａ）に対する（２）乃至（６）の５通りと、（Ｂ）乃至（Ｆ）に対するそれぞれ（１）乃至（６）の３０通りとの計３５通りの結線状態は、すべて誤結線である。この３５通りの誤結線のうちで、（Ａ）に対して（２）、（３）、（４）、（５）の４通り、（Ｂ）に対して（１）、（３）、（５）、（６）の４通り、（Ｃ）に対して（１）、（２）、（４）、（６）の４通り、（Ｄ）に対して（１）、（３）、（５）、（６）の４通り、（Ｅ）に対して（２）、（３）、（４）、（５）の４通り、（Ｆ）に対して（１）、（２）、（４）、（６）の４通りの計２４通りの誤結線が生ずると、負荷５又は負荷６に異常電圧が印加されることとなる。したがって、この２４通りの誤結線については、接続されたときに直ちに検知して接続を断つことにより、負荷５又は負荷６に対する異常電圧の印加を防止しなければならない。
【００１６】
なお、他の１１通りの誤結線（（Ａ）に対して（６）の１通り、（Ｂ）に対して（２）、（４）の２通り、（Ｃ）に対して（３）、（５）の２通り、（Ｄ）に対して（２）、（４）の２通り、（Ｅ）に対して（１）、（６）の４通り、（Ｆ）に対して（３）、（５）の２通りの計１１通り）については、誤結線が生じても負荷５又は負荷６に異常電圧が印加されることがないので、接続後の目視確認によって発見するようにすればよい。
【００１７】
そして、本発明に係る電力量計の誤結線チェック方法においては、第２の負荷接続端子２Ｌに接続されるべき電線（以下、「負荷側の中性線」という。）の対地電圧を測定しながら、各端子に対する電線の接続を行う。すなわち、この誤結線チェック方法においては、図１中の（１）において第２の負荷接続端子２Ｌに接続されている右端に白丸、左端に黒丸を付した電線の対地電圧を測定する。そして、この誤結線チェック方法は、負荷側の中性線に設定値以上の対地電圧、例えば、電源電圧の３０％以上の対地電圧があらわれたときに、誤結線であることを判別するものである。負荷側の中性線に電源電圧の３０％以上の対地電圧があらわれるのは、この電線の左端の黒丸の位置に相当する電源入力端子に、電源４からの電圧が印加されたときである。そして、図１中の（Ａ）乃至（Ｆ）において黒丸を付した電源入力端子には、電源からの電圧が印加される。すなわち、図１中の（Ａ）乃至（Ｆ）と（１）乃至（６）とで、黒丸の位置が重なる組み合わせのときに、負荷側の中性線に電源電圧の３０％以上の対地電圧があらわれ、この組み合わせが、負荷５又は負荷６に異常電圧が印加されることとなる２４通りの誤結線である。
【００１８】
したがって、本発明に係る電力量計の誤結線チェック方法においては、負荷５又は負荷６に異常電圧が印加されることとなる２４通りの誤結線がなされたときには、負荷側の中性線に対地電圧があらわれることによって直ちに誤結線を検知することができ、即座に接続を断つことができる。
【００１９】
なお、誤結線であると判別するための負荷側の中性線にあらわれる対地電圧を、例えば電源電圧の３０％以上と設定した場合には、上述の２４通りのうちのいずれかの誤結線がなされる場合において、電源側の２本の対地電圧を有する電線のうちのいずれか１本のみが端子に接続された時点で、誤結線であることを検出することができる。すなわち、この場合において、電源側の２本の対地電圧を有する電線のうちのいずれか１本のみが端子に接続されると、負荷側の中性線には、第１及び第２の負荷接続端子１Ｌ，２Ｌ間に接続される負荷５と第２及び第３の負荷接続端子２Ｌ，３Ｌ間に接続される負荷６との抵抗値の比率によって電源電圧が分圧された対地電圧が生ずる場合がある。
【００２０】
例えば、図１における（Ｂ）−（１）の誤結線が行われる場合において、負荷側の電線は全て負荷接続端子１Ｌ，２Ｌ，３Ｌに接続され、第３の電源入力端子３Ｓに電源側の中性線が接続された後に、第１の電源入力端子１Ｓのみに電源側の対地電圧を有する電線が接続された場合のように、この電源電圧と中性線との間に負荷５，６が直列に接続された状態となると、負荷側の中性線には、負荷全体に対する一方の負荷（この場合は、負荷５）の比率に相当する分だけ電圧降下した対地電圧が生ずる。
【００２１】
したがって、これら負荷５，６の抵抗値の比率が３対７（３０％：７０％）乃至５対５（５０％：５０％）であれば、電源側の２本の対地電圧を有する電線のうちのいずれか１本のみが端子に接続されたときに、電源電圧の３０％以上の対地電圧が生ずるのである。そして、これら負荷５，６のバランスが２対８（２０％：８０％）のような場合には、負荷側の中性線にあらわれた対地電圧が電源電圧の２０％以上となったときに誤結線であると判別するように設定してもよい。
【００２２】
そして、本発明に係る電力量計の誤結線チェック方法においては、負荷側の中性線の対地電圧を、以下に示す誤結線チェッカを用いて行うことができる。この誤結線チェッカは、電力量計の負荷側の中性線の対地電圧を検出する検出回路を有し、この中性線に対地電圧が生じた瞬間に警告を発するように構成したものである。
【００２３】
この実施の形態に係る誤結線チェッカは、図２に示すように、負荷側の中性線を挟持してこの電線に取付けられる検出クリップ７を有している。この検出クリップ７は、互いに回動可能となされた一対の部材からなり、図示しない弾性部材の付勢力によって、先端側において負荷側の中性線を挟持できるように構成されている。なお、この検出クリップ７は、図３及び図４に示すように、絶縁材料からなるカバー７ａによって覆われている。また、この検出クリップ７の電線を挟持する部分は、図３に示すように、電極８となされている。この電極８は、図４に示すように、検出クリップ７が電線１０１に取付けられたとき、この電線１０１の芯線１０１ａに対してこの電線１０１の被覆１０２を介して接近された状態となる。この電線１０１の芯線１０１ａに交流電圧が生じているときには、電極８には、誘導電圧が誘起される。このようにして電極８に誘起した誘導電圧は、シールド線９に出力される。そして、このシールド線９は、図２に示すように、本体部１０に接続されている。このように、上記電極８と本体部１０との接続にシールド線９を使用することにより、これら電極８と本体部１０とを接続する信号線に対する中性線以外の対地電圧を有する電線からの静電誘導電圧の影響を無くすシールド効果が得られる。また、上記検出クリップ７の電極８と電極以外の部材とを絶縁し、電極以外の部材を金属などの導電体で構成した場合には、シールド線９のシールド部分と検出クリップ７の電極以外の部材とを接続することにより、シールド効果をより大きくすることができる。
【００２４】
そして、上記電極８に誘起された誘導電圧は、図５及び図６に示すように、本体部１０に内蔵された検出回路によって検出される。この検出回路は、本体部１０内に収納されている基板１１上に配置された電子素子である分圧抵抗１２及びＩＣ（オペアンプ）１３によって構成されている。検出クリップ７の電極８とこれら分圧抵抗１２及びＩＣ１３との間は、上記シールド線９で接続されている。また、上記基板１１上には、表示回路となる発光回路及び発音回路、動作電源を供給する電池１４、テストスイッチ１５などが設けられている。発光回路は、ＩＣ１３内の回路の一部と発光素子（ＬＥＤ）１６とによって構成されている。
【００２５】
このように、上記本体部１０内に構成された電子回路は、ブロック図で示すと、図７に示すように、上記シールド線９を介して入力された信号（電圧）は、感度調整を行う分圧抵抗１２を経て、増幅回路１９によって増幅され、整流回路２０によって整流されて、スイッチング回路２１に送られることとなる。整流回路２０を経た信号が一定のレベル以上であった場合にスイッチング回路２１が動作し、発光素子１６を発光させるとともに、発振回路２２を介してスピーカ１７によって発音する。そして、これら回路の動作電源は、電池１４によって供給される。すなわち、この実施の形態に係る誤結線チェッカにおいては、検出回路における検出結果に応じて、表示回路をなす発光素子１６及びスピーカ１７によって警告が発せられる。この警告は、電極８に誘起された誘導電圧が、負荷側の中性線に設定値以上の対地電圧が生じている場合に相当する電圧となったときに、発せられる。
【００２６】
このようにして、電力量計に対する誤結線があった場合、直ちに警告が発せられて、作業者に誤結線があったことが通知される。この警告は、発光素子の他、液晶表示素子のような表示素子を用いたものでも良く、また、上述のように、スピーカ等の発音素子を用いた音によるものでも良く、さらには、振動など機械的動作によるものであっても良い。
【００２７】
さらに、本体部１０内の検出回路について、等価回路で示すと、図８に示すように、検出クリップを取付けた電線に設定値以上の対地電圧があるときに警告が発せられる回路とされている。上記中性線１０１に検出クリップ７を取付けると、中性線１０１の芯線１０１ａと検出クリップ７の電極８との間に静電容量Ｃ１が形成される。また、上記本体部１０内の電気回路と大地間にも静電容量Ｃ２が形成される。そのため、中性線１０１の芯線１０１ａが対地電圧を有する場合は、静電容量Ｃ１、本体部１０内の電気回路、静電容量Ｃ２を経由して、漏洩電流が流れる。上記検出回路は、このようにして本体部１０内に流れる漏洩電流を検出し、漏洩電流が既定値以上になったときに、発光、発音による警告を発するように構成されている。
【００２８】
そして、上記本体部１０内の電気回路に流れる漏洩電流は、分圧抵抗からなる感度調整用のボリューム（感度調整回路）１８で電圧信号に変換され、この信号は増幅回路１９によって増幅され、整流回路２０により直流レベルの信号となされ、スイッチング回路２１に入力される。この信号レベルが規定値以上となると、スイッチング回路２１は、”Ｈ”レベルを出力する。また、上記スイッチング回路２１に接続されている発振回路２２は、”Ｈ”レベルが入力されると発振を開始し、スピーカ１７から発音する。また、発光素子（ＬＥＤ）１６も、”Ｈ”レベルにより発光する。
【００２９】
したがって、上記中性線１０１の芯線１０１ａに例えば電源電圧の３０％以上の対地電圧があるときに、スイッチング回路２１の入力レベルが規定値以上になるように、感度調整用のボリューム１８を設定しておくことにより、電源電圧の３０％以上の対地電圧により、警告を発生させることができる。
【００３０】
上述のように、本発明に係る電力量計の誤結線チェッカにおいては、取扱いが簡単で操作性が良く、かつ、確実に誤結線が検出でき、さらに、負荷にほとんど異常電圧が印加される前に警告を発することができる。
【００３１】
この誤結線チェッカは、図９に示すように、負荷側の中性線に対して検出クリップ７を取付けて使用する。そして、図１０に示すように、負荷側の中性線を１Ｌ端子に誤結線した場合について、単相３線電力量計１の取替え工事での使用状態について説明する。なお、このとき、誤結線チェッカは電源電圧の３０％以上の対地電圧があるときに警告を発するように設定されており、また、取替え前の電力量計の結線は正常であったことを前提とする。ここでは、電源電圧は１００Ｖであるとして説明する。
【００３２】
先ず、図９に示すように、取替える電力量計１の負荷側の中性線に検出クリップ７を取付ける。次に、電力量計１の電源側の電線を取り外す。そして、負荷側の電線も取り外す。そして、電力量計１を新たな電力量計１に取替える。次に、負荷側の電線を接続する。このとき、中性線を１Ｌ端子に誤結線したとする。この時点では、電源側の端子に電線が接続されていないため、中性線には対地電圧が生じず、警告は発せられない。
【００３３】
そして、電源側の電線を接続する。このとき、１Ｓ端子に電圧線を接続した時点で、負荷側の中性線には１００Ｖの対地電圧が発生するため、警告が発せられる。また、先に、３Ｓ端子に電圧線を接続した場合、負荷側の中性線には１００Ｖの対地電圧が発生するため、警告が発せられる。ただし、２Ｓ端子に電源側の中性線が先に接続されている場合は、１００Ｖの対地電圧が負荷５と負荷６とで分圧され、負荷５の分担電圧が３０Ｖ以上であれば、警告が発せられる。警告が発せられた場合には、負荷側の誤結線を修正し、電源側の電線を接続し、検出クリップ７を取り外して、工事を終了する。
【００３４】
以上のように、負荷５，６のバランスが３対７であれば、片側の電圧線を接続した時点で３０Ｖの対地電圧が発生するため警告が発せられることとなり、この時点で誤結線が認識できる。したがって、３線を接続することにより負荷５，６に異常電圧が印加されることがない。そして、電圧電源の２０％以上の対地電圧があるときに警告を発するように設定すれば、負荷のバランスが２対８のような場合でも同様に誤結線を検出することができる。
【００３５】
同様に、他の線を誤結線した場合の検出動作の例を、図１１乃至図１７に示す。図１１に示す例は、図１における（Ａ）−（２）の組み合わせからなる誤結線であり、警告が発せられる。図１２に示す例は、図１における（Ａ）−（６）の組み合わせからなる誤結線であり、警告は発せられない。図１３に示す例は、図１における（Ｃ）−（１）の組み合わせからなる誤結線であり、警告が発せられる。図１４に示す例は、図１における（Ｂ）−（１）の組み合わせからなる誤結線であり、警告が発せられる。図１５に示す例は、図１における（Ｄ）−（１）の組み合わせからなる誤結線であり、警告が発せられる。図１６に示す例は、図１における（Ｆ）−（１）の組み合わせからなる誤結線であり、警告が発せられる。図１７に示す例は、図１における（Ｅ）−（１）の組み合わせからなる誤結線であり、警告は発せられない。
【００３６】
【発明の効果】
上述のように、本発明に係る電力量計の誤結線チェック方法においては、第２の負荷接続端子に接続されるべき電線に設定値以上の対地電圧があらわれたときに誤結線であることを判別するので、負荷に対して異常電圧の印加が生ずることとなる誤結線の発生を確実に直ちに知ることができる。
【００３７】
また、この誤結線チェック方法において、対地電圧の測定を、誤結線チェッカを用いて行った場合には、誤結線チェッカの表示回路による警告によって、負荷に対して異常電圧の印加が生ずることとなる誤結線の発生を確実に直ちに知ることができる。
【００３８】
そして、本発明に係る電力量計の誤結線チェッカ（請求項３記載の発明）においては、表示回路が、電極に誘起した誘導電圧が第２の負荷接続端子に接続されるべき電線に設定値以上の対地電圧が生じている場合に相当する電圧となったときに警告を発するので、負荷に対して異常電圧の印加が生ずることとなる誤結線の発生を確実に直ちに知ることができる。
【００３９】
すなわち、本発明によれば、単相３線交流電源の電力量計への電線の接続において、誤結線を確実に検出することができ、また、負荷にほとんど異常電圧が印加されないうちに直ちに誤結線を検出することができ、また、このような誤結線チェック方法の実施に用いられる取扱いが簡単で操作性の良い電力量計の誤結線チェッカを提供することができる。
【図面の簡単な説明】
【図１】本発明に係る電力量計の誤結線チェック方法が対象とする誤結線の状態を示す結線図である。
【図２】上記電力量計の誤結線チェック方法において使用される本発明に係る電力量計の誤結線チェッカの外観を示す平面図である。
【図３】上記電力量計の誤結線チェッカの検出クリップの構成を示す側面図である。
【図４】上記電力量計の誤結線チェッカの検出クリップで電線を挟持した時の平面図である。
【図５】上記電力量計の誤結線チェッカの本体部の内部の構成を示す平面図である。
【図６】上記電力量計の誤結線チェッカの本体部の内部の構成を示す側面図である。
【図７】上記電力量計の誤結線チェッカの構成を示す回路ブロック図である。
【図８】上記電力量計の誤結線チェッカにおける等価回路図である。
【図９】上記電力量計の誤結線チェッカを使用している状態を示す正面図である。
【図１０】電力量計の交換作業において、負荷側の中性線を１Ｌ端子に誤結線した状態を示す結線図である。
【図１１】電力量計の交換作業において、負荷側の中性線を３Ｌ端子に誤結線した状態を示す結線図である。
【図１２】電力量計の交換作業において、負荷側の１Ｌ端子に接続される電線と負荷側の３Ｌ端子に接続される電線とが交換された誤結線をした状態を示す結線図である。
【図１３】電力量計の交換作業において、電源側の中性線を１Ｓ端子に誤結線した状態を示す結線図である。
【図１４】電力量計の交換作業において、電源側の中性線を３Ｓ端子に誤結線した状態を示す結線図である。
【図１５】電力量計の交換作業において、電源側の中性線を３Ｓ端子に、３Ｓ端子に接続されるべき電線を１Ｓ端子に誤結線した状態を示す結線図である。
【図１６】電力量計の交換作業において、電源側の中性線を１Ｓ端子に、１Ｓ端子に接続されるべき電線を３Ｓ端子に誤結線した状態を示す結線図である。
【図１７】電力量計の交換作業において、電源側の１Ｓ端子に接続される電線と電源側の３Ｓ端子に接続される電線とが交換された誤結線をした状態を示す結線図である。
【符号の説明】
１　　電力量計
１Ｓ，２Ｓ，３Ｓ　　電力側端子
１Ｌ，２Ｌ，３Ｌ　　負荷側端子
４　　電源
５，６　　　負荷
７　　検出クリップ
８　　電極
９　　シールド線
１０　　本体部
１１　　基板
１２　　分圧抵抗
１３　　ＩＣ
１４　　電池
１６　　発光素子
１７　　スピーカ
１８　　ボリューム
【図１】
2004108974.tif 000003
【図２】
2004108974.tif 000004
【図３】
2004108974.tif 000005
【図４】
2004108974.tif 000006
【図５】
2004108974.tif 000007
【図６】
2004108974.tif 000008
【図７】
2004108974.tif 000009
【図８】
2004108974.tif 000010
【図９】
2004108974.tif 000011
【図１０】
2004108974.tif 000012
【図１１】
2004108974.tif 000013
【図１２】
2004108974.tif 000014
【図１３】
2004108974.tif 000015
【図１４】
2004108974.tif 000016
【図１５】
2004108974.tif 000017
【図１６】
2004108974.tif 000018
【図１７】
2004108974.tif 000019